(57)【要約】【課題】印刷版のパターン領域が転写されることで被転写体表面に形成された転写領域が、パターン領域よりも伸び広がった台形状に形成されることを防止する技術を提供する。【解決手段】平行な複数の直線状パターンを印刷するにあたって、設計上のパターンと一致するパターン領域ＰＴ１を印刷版１７に掲載して、ダミー印刷を行う。ダミー印刷の結果から、転写の際の印刷版１７の印圧によって扇状に拡大してしまったパターンの変形の割合を印刷開始位置と印刷終了位置とで算出する。そして、当該扇状に拡大したパターンを補正するように、変形の割合に基づいて逆方向の扇状に縮小修正されたパターン領域ＰＴ２を備える修正印刷版１８を用いて実際の印刷処理が行われる。【選択図】図７
2012074281.tif 000002
【特許請求の範囲】
【請求項１】
版胴に装着されて、コンピュータ上で設計されたパターンにより構成されたパターン領域データの形状を被転写体に形成させる印刷版であって、
前記印刷版が備えるパターン領域は、前記パターン領域データよりも縮小されており、
前記パターン領域のうち、前記版胴の回転方向における先端側に存在して先に印刷転写される部分の縮小率は、後端側に存在して後に印刷転写される部分の縮小率よりも小さいことを特徴とする印刷版。
【請求項２】
請求項１に記載の印刷版であって、
前記パターン領域データは、前記版胴の軸心に直交する方向に配列された複数の直線状の平行パターンで構成されており、
前記印刷版が備えるパターン領域では、隣り合う直線状のパターンの間隔は、前記先端側よりも前記後端側のほうが小さくなることを特徴とする印刷版。
【請求項３】
請求項１又は２に記載の印刷版であって、
前記パターン領域データは矩形であって、
前記パターン領域データと同一のパターン領域を有する前記印刷版によって前記被転写体に転写された転写領域のうち、前記先端側の幅をｃとし、前記後端側の幅をｄとするとともに、
前記パターン領域の前記先端側の幅をｇとし、前記後端側の幅をｈとすると、
ｈ＝ｇ×（ｃ/ｄ）
となっていることを特徴とする印刷版。
【請求項４】
請求項１ないし請求項３のいずれかに記載の印刷版が版胴に装着されて、被転写体への印刷を行うことを特徴とする印刷装置。
【請求項５】
コンピュータ上で設計された印刷用のパターンにより構成された第１のパターン領域データを修正することで、第２のパターン領域データを作成するソフトウェアプログラムであって、
前記第１のパターン領域データを取得するデータ取得ステップと、
前記第１のパターン領域データと同一のパターン領域を備える印刷版が被転写体に形成した転写領域と前記第１のパターン領域データとの形状の相違を表すパラメータを取得するパラメータ取得ステップと、
前記パラメータに基づいて、前記転写領域と前記第１のパターン領域データとの形状が異なる割合を算出する算出ステップと、
前記割合に基づいて、前記第１のパターン領域データの形状を修正して第２のパターン領域データを作成する作成ステップと、
を有する処理をコンピュータに実行させ、
前記パラメータ取得ステップは、前記パラメータとして、印刷領域のうち先に印刷転写される先端側の第１パラメータと、後に印刷転写される後端側の第２パラメータとを取得することを特徴とするソフトウェアプログラム。
【請求項６】
請求項５に記載のソフトウェアプログラムであって、
前記第１のパターン領域データは矩形であって、
前記第１パラメータは、前記転写領域及び前記第１のパターン領域データにおける、前記印刷版と前記被転写体とが接触し始める先端側の幅であり、
前記第２パラメータは、前記転写領域及び前記第１のパターン領域データにおける、前記印刷版と前記被転写体とが離間する直前である後端側の幅であることを特徴とするソフトウェアプログラム。
【請求項７】
請求項６に記載のソフトウェアプログラムであって、
前記作成ステップでは、
前記転写領域における前記先端側の幅をｃとし、前記転写領域における前記後端側の幅をｄとするとともに、
前記第２のパターン領域データの前記先端側の幅をｇとし、前記第２のパターン領域データの前記後端側の幅をｈとすると、
ｈ＝ｇ×（ｃ/ｄ）
の関係によって、前記第２のパターン領域データを生成することを特徴とするソフトウェアプログラム。
【発明の詳細な説明】
【技術分野】
【０００１】
本発明は、被転写体に所定のパターンを転写する技術に関するもので、特に、版胴の外周面に装着された印刷版から塗布液を有機ＥＬディスプレイ用基板やカラーフィルタ用基板などの各種基板（以下、基板と称する）を被転写体として、比較的変形しやすい材質の印刷版を用いて印刷を行う技術に関する。
【背景技術】
【０００２】
近年、開発が進められている有機ＥＬの発光材料としては、ポリマー状の分子を用いた高分子材料と、それ以外の分子を用いた低分子材料とがある。いずれの発光材料も下地膜上の制約などからフォトリソグラフィー法を用いたパターン形成が困難である。このため、低分子材料については、金属マスクにより必要な領域に低分子材料を真空蒸着させる方法がパターンの形成に用いられるが、蒸着温度によっては金属マスクが膨張してしまい、特に基板が大サイズ化するほど、成膜ムラが生じる傾向がある。このため、高分子材料を用いた各種印刷法によるパターン形成が試みられている。
【０００３】
このような各種印刷法のうち、凸版による印刷法では、パターンが形成された印刷版の凸部にインクとして発光材料が塗布される。そして、印刷版が被転写体（通常は透明なガラス基板）表面に所定の印圧で押し当てられることにより、当該パターンは被転写体表面に転写されて、パターンが形成される。
【０００４】
特許文献１には、印刷版が基板に接触し始める位置と基板から離れる位置とにダミーパターンが設けられ、実際の印刷パターンがダミーパターン間に設けられた印刷版の構造が記載されている。ダミーパターンが、印刷版の印圧の変化が大きくなる位置に設けられているため、印刷パターンには均等な印圧が印加されて転写が行われる。
【０００５】
また、特許文献２には、印刷版が画像形成領域と画像形成領域の外縁部に位置するダミー領域とを備えていることが記載されている。印刷時において印圧の変化が大きいダミー領域については、基板上の領域のうち、有機発光層の形成に用いられない領域に押し当てられる。
【先行技術文献】
【特許文献】
【０００６】
【特許文献１】特開平０４−２４０８１９号公報
【特許文献２】特開２００６−２７８２０６号公報
【発明の概要】
【発明が解決しようとする課題】
【０００７】
印刷版の凸部（パターン）は、被転写体に損傷を与えることがなく、かつ耐薬性に富み、膨潤しにくいポリエステル系の樹脂又はゴムなどが用いられる。従って、印刷版は、印圧によって変形しやすく、印刷版のパターンは伸び広がった状態で印刷が行われる。このため、パターン領域が被転写体上に転写された転写領域は、印刷版が被転写体に接触し始める印刷開始位置から、印刷版が被転写体から離れる印刷終了位置に向かって線形な台形状になっており、パターン領域の範囲よりも外側に広がっている。このように、転写領域の形状がパターン領域の形状と相違することは、特許文献１又は特許文献２の技術を用いても抑えることはできない。
【０００８】
上述のように、転写領域が、パターン領域の範囲よりも幅方向の外側に伸び広がることによって、隣接する領域に混色が生じるおそれがある。特に、印刷版が大型の場合は顕著に起こりうる。そして、このような問題は、有機ＥＬの発光材料を塗布する場合に限らず、凸版による印刷法を用いて、被転写体上に所定のパターンを形成する処理において一般に考慮すべき課題である。
【０００９】
本発明は上記課題に鑑みなされたものであり、印刷版のパターン領域が転写されることで被転写体表面に形成された転写領域が、パターン領域よりも伸び広がった台形状に形成されることを防止する技術を提供することを目的とする。
【課題を解決するための手段】
【００１０】
上記課題を解決するため、第１の発明は、版胴に装着されて、コンピュータ上で設計されたパターンにより構成されたパターン領域データの形状を被転写体に形成させる印刷版であって、前記印刷版が備えるパターン領域は、前記パターン領域データよりも縮小されており、前記パターン領域のうち、前記版胴の回転方向における先端側に存在して先に印刷転写される部分の縮小率は、後端側に存在して後に印刷転写される部分の縮小率よりも小さいことを特徴とする。
【００１１】
第２の発明は、第１の発明に係る印刷版であって、前記パターン領域データは、前記版胴の軸心に直交する方向に配列された複数の直線状の平行パターンで構成されており、前記印刷版が備えるパターン領域では、隣り合う直線状のパターンの間隔は、前記先端側よりも前記後端側のほうが小さくなることを特徴とする。
【００１２】
第３の発明は、第１又は第２の発明に係る印刷版であって、前記パターン領域データは矩形であって、前記パターン領域データと同一のパターン領域を有する前記印刷版によって前記被転写体に転写された転写領域のうち、前記先端側の幅をｃとし、前記後端側の幅をｄとするとともに、前記パターン領域の前記先端側の幅をｇとし、前記後端側の幅をｈとすると、ｈ＝ｇ×（ｃ/ｄ）となっていることを特徴とする。
【００１３】
第４の発明は、第１ないし第３の発明のいずれかに係る印刷版が版胴に装着されて、被転写体への印刷を行う印刷装置である。
【００１４】
第５の発明は、コンピュータ上で設計された印刷用のパターンにより構成された第１のパターン領域データを修正することで、第２のパターン領域データを作成するソフトウェアプログラムであって、前記第１のパターン領域データを取得するデータ取得ステップと、前記第１のパターン領域データと同一のパターン領域を備える印刷版が被転写体に形成した転写領域と、前記第１のパターン領域データと、の形状の相違を表すパラメータを取得するパラメータ取得ステップと、前記パラメータに基づいて、前記転写領域と、前記第１のパターン領域データと、の形状が異なる割合を算出する算出ステップと、前記割合に基づいて、前記第１のパターン領域データの形状を修正して第２のパターン領域データを作成する作成ステップと、を有する処理をコンピュータに実行させ、前記パラメータ取得ステップは、前記パラメータとして、印刷領域のうち先に印刷転写される先端側の第１パラメータと、後に印刷転写される後端側の第２パラメータとを取得することを特徴とする。
【００１５】
第６の発明は、第５の発明に係るソフトウェアプログラムであって、前記第１のパターン領域データは矩形であって、前記第１パラメータは、前記転写領域及び前記第１のパターン領域データにおける、前記印刷版と前記被転写体とが接触し始める先端側の幅であり、前記第２パラメータは、前記転写領域及び前記第１のパターン領域データにおける、前記印刷版と前記被転写体とが離間する直前である後端側の幅であることを特徴とする。
【００１６】
第７の発明は、第６の発明に係るソフトウェアプログラムであって、前記作成ステップでは、前記転写領域における前記先端側の幅をｃとし、前記転写領域における前記後端側の幅をｄとするとともに、前記第２のパターン領域データの前記先端側の幅をｇとし、前記第２のパターン領域データの前記後端側の幅をｈとすると、ｈ＝ｇ×（ｃ/ｄ）の関係によって、前記第２のパターン領域データを生成することを特徴とする。
【発明の効果】
【００１７】
第１ないし第４の発明によれば、印刷版のパターン領域は、版胴の回転方向における先端側に存在して先に印刷転写される部分の縮小率が、後端側に存在して後に印刷転写される部分の縮小率よりも小さい。このため、パターン領域が印圧によって台形状に広がる力を受けたとしても、印刷後のパターン領域の形状（転写領域）が、後端側に向かって広がった台形状になることを防止できる。
【００１８】
また、特に第２の発明によれば、パターン領域を構成する複数のパターンのうち、隣り合うパターンの間隔は先端側よりも後端側のほうが小さい。このため、パターン領域が印圧によって台形状に広がる力を受けたとしても、印刷後のパターンの間隔が後端側に向かって広がることを防止できる。
【００１９】
また、特に第３の発明によれば、転写領域とパターン領域とにおける先端側の幅と後端側の幅とが特定の関係性を有しているため、当該関係性に基づいて、いずれかの値を容易に算出することができる。
【００２０】
第５ないし第７の発明によれば、第１のパターン領域データと転写領域との形状が異なる割合を求めて、当該割合に基づいて第１のパターン領域データを修正することで第２のパターン領域データが作成される。印圧により変形した印刷版のパターン領域と第１のパターン領域データとが一致するようなパターン領域を、第２のパターン領域データから得ることができる。
【００２１】
また、特に第６の発明によれば、第１のパターン領域データは矩形であるため、先端側の幅と後端側の幅とがわかれば、第１のパターン領域データと転写領域とがどの程度相違しているのか、容易に測定ができる。
【００２２】
また、特に第７の発明によれば、転写領域とパターン領域とにおける先端側の幅と後端側の幅とが特定の関係性を有しているため、当該関係性に基づいて、いずれかの値を容易に算出することができる。
【図面の簡単な説明】
【００２３】
【図１】本発明の第１の実施形態に係る印刷装置１０の斜視図である。
【図２】本発明の第１の実施形態に係る印刷処理時の側面図である。
【図３】本発明の第１の実施形態に係る制御部９０の構成を表したブロック図である。
【図４】本発明の第１の実施形態に係る実施の流れを示したフローチャートである。
【図５】本発明の第１の実施形態に係る印刷版１７の上面図である。
【図６】本発明の第１の実施形態に係る印刷版１７の転写領域ＣＴ１の上面図である。
【図７】本発明の第１の実施形態に係る修正印刷版１８の上面図である。
【発明を実施するための形態】
【００２４】
以下、添付の図面を参照しながら、本発明の実施形態について説明する。以下の実施形態は、本発明を具体化した一例であって、本発明の技術的範囲を限定するものではない。
【００２５】
＜１．実施形態＞
図１に示される印刷装置１０においては、版胴１４の外周面に装着された印刷版１７によって有機ＥＬの発光材料（有機材料）が被転写体である基板（ガラス基板）Ｗに転写されて有機ＥＬディスプレイの各表示素子（画素）のパターン形成が行われる。印刷装置１０は、主たる構成として、基台２０、スリットノズル１１、塗布液供給ローラ１２、版胴１４、及びステージ２２を備える。また、印刷装置１０は、装置の各動作機構を制御して印刷処理を実行させるとともに、所定のプログラム８０に則って、印刷版１７に関するデータを設定することができる制御部９０（図３）を備える。この実施形態では制御部９０は印刷装置１０の一部となっているが、印刷装置１０は別体に構成されたコンピュータであってもよく、その場合には印刷データはオンラインまたはオフラインで当該コンピュータから印刷装置１０に転送される。
【００２６】
図１に示されるように、基台２０上には、一対の直動ガイド３２と、これらの直動ガイド３２の間に配設されたリニアモータ３１とが配設されている。これらの直動ガイド３２及びリニアモータ３１は、その長手方向が版胴１４の回転軸と垂直な方向（Ｙ方向）に沿うように配設されている。直動ガイド３２及びリニアモータ３１にはアライメントテーブル５１が連結されており、アライメントテーブル５１上にステージ２２が配設されている。このため、アライメントテーブル５１は、リニアモータ３１の駆動を受けてステージ２２とともに版胴１４の回転軸と垂直な方向（Ｙ方向）に沿って直線移動する。また、アライメントテーブル５１にはステージ２２の位置調整を行う位置調整機構（図示省略）が内蔵されている。位置調整機構が、ステージ２２をアライメントテーブル５１に対してＸ方向及びＹ方向にスライド移動させるとともに、回転移動させる。
【００２７】
基台２０の左右側面には支持側板２４が固設されている。支持側板２４には一対のガイド部材２５が鉛直方向（Ｚ方向）に沿って配設されている。昇降テーブル２１は、これらの計４本のガイド部材２５に案内されて昇降可能とされている。
【００２８】
また、昇降テーブル２１には、スリットノズル１１、塗布液供給ローラ１２、版胴１４が搭載されている。これらの要素は、昇降モータ２６の駆動によって昇降テーブル２１とともに一体的に昇降する。
【００２９】
版胴１４は、円筒形状を有するローラであり、Ｘ方向に沿って延設された回転軸を中心に回転可能に配置されている。版胴１４はモータ１５によって回転軸を中心に回転される。版胴１４は図２において時計回り及び反時計回りのいずれの方向にも回転可能であるが、印刷処理時にはモータ１５によって時計回りに回転する。
【００３０】
版胴１４の外周面には、ポリエステル系樹脂製やゴム製の印刷版１７が装着される。印刷版１７は凸版であり、凸部であるパターンを構成する樹脂層と、樹脂層を支持するベース層とで構成されている。パターン領域は複数の直線状のパターン（ストライプパターン）で形成されている。このパターンは、設計上は、有機ＥＬディスプレイのマトリクス状の画素配列の各列に対応して多数の平行帯からなるストライプパターンＳＴ（図５）であるが、実際の有機ＥＬ基板への印刷時に使用される印刷版のパターンは、図７に示すような扇状に広がるパターンＳＴとされる。この理由については後に詳述する。そして、印刷版１７は、版胴１４の回転軸心に対して直線状のパターンＳＴが直交する向きで、印刷版１７の両端が図示しないクランプ機構によって版胴１４の外周面上に固定される。
【００３１】
版胴１４と平行に（つまりＸ方向に沿って）塗布液供給ローラ１２が配置されている。塗布液供給ローラ１２の上方にはスリットノズル１１が設けられている。スリットノズル１１は、塗布液供給ローラ１２の回転軸方向（Ｘ方向）に延びるスリットを有して塗布液供給ローラ１２の表面に塗布液として有機ＥＬの高分子材料を吐出する。スリットノズル１１と塗布液供給ローラ１２の表面とはわずかな距離だけ隔離している。また、版胴１４上の印刷版１７の表面と塗布液供給ローラ１２の表面とは当接する様構成されている。
【００３２】
印刷装置１０においては、スリットノズル１１から、回転する塗布液供給ローラ１２の表面に塗布液が供給され、塗布液供給ローラ１２の表面に塗布液の薄膜が形成される。そして、塗布液供給ローラ１２及び版胴１４の双方が回転することによって、塗布液供給ローラ１２から版胴１４に装着された印刷版１７のパターン領域に塗布液が転写され、塗布液の転写領域が基板Ｗ上に形成される。ステージ２２に載置した基板Ｗをアライメントテーブル５１とともにＹ方向に沿って一定速度で直線移動させつつ、版胴１４を回転させ、塗布液を載せた印刷版１７が基板Ｗに当接することによって塗布液のパターンが印刷版１７から基板Ｗに転写される。
【００３３】
図３は、制御部９０のハードウェア構成を示す図である。制御部９０のハードウェアとしての構成は、一般的なコンピュータと同様である。即ち、制御部９０は各種演算処理を行うＣＰＵ９１、基本プログラムを記憶する読み出し専用のメモリであるＲОＭ９２、各種情報を記憶する読み書き自在のメモリであるＲＡＭ９３及び制御用ソフトウェア、又はデータなどを記憶しておく磁気ディスク９４をバスライン９９に接続して構成されている。磁気ディスク９４には後述するプログラム８０が記憶されている。また、入力手段としてキーボード９５及びマウス９６がバスライン９９に接続されている。また、バスライン９９には、版胴１４を回転させるモータ１５、昇降テーブル２１を昇降させる昇降モータ２６、ステージ２２を直動移動させるリニアモータ３１、ステージ２２の位置調整を行う位置調整機構（図示省略）が、電気的に接続されている。
【００３４】
上記の構成以外にも印刷装置１０は、版胴１４及び塗布液供給ローラ１２をそれぞれ洗浄する洗浄機構、ならびに、スリットノズル１１と塗布液供給ローラ１２との距離、塗布液供給ローラ１２と印刷版１７との距離および印刷版１７と基板Ｗとの距離をそれぞれ調整する機構等を備えている。
【００３５】
次に、上述の構成を有する印刷装置１０における処理動作について説明する。図４は、印刷装置１０における処理手順を示すフローチャートである。この実施形態では、この発明の特徴に応じて、印刷されるべき設計上のパターンを修正して印刷版の上に形成するパターンを生成するが、その修正量を決定するために、実際の印刷処理（製品としての有機ＥＬ基板の印刷処理）に先だってまず、ダミー印刷を行う。そこではまず、印刷装置１０のオペレータが版胴１４の外周面に印刷版１７を装着する（ステップＳ１）。
【００３６】
印刷版１７は、例えば、ＣＡＤなどによってコンピュータ上で作成されたデータ（以下、設計データと称する）を、レーザ光などによって直接版上に出力することで作製される。従って、このダミー印刷処理段階では、設計データ上のパターン領域ＰＴであるパターン領域データ（第１のパターン領域データ）が、印刷版１７のパターン領域ＰＴ１と一致する。なお、パターン領域ＰＴとは、複数の直線状のパターンＳＴによって構成される領域である。
【００３７】
図５に示されるように、パターン領域ＰＴを構成する直線状のパターンＳＴは長手方向が印刷方向に一致するように、所定の間隔（以下、パターン間隔と称する）をもって複数配列されている。ここで、「印刷方向」とは、図５に示すように印刷時に基板Ｗが移動する方向をいう。印刷版１７のパターン領域ＰＴ１においては、印刷方向に直交する方向（以下、幅方向と称する）の両端に設けられたパターンＳＴの中心間の幅の長さをａとする。中心間の幅は、印刷方向の先端側から後端側まで一定である。なお、中心とはパターンＳＴの外縁を形成する４辺のうち、短手方向の辺の中心である。また、パターン領域ＰＴ１におけるパターン間隔とは、幅方向に相隣接するパターンＳＴの中心間の幅をいい、印刷方向の先端側から後端側までいずれの位置においてもｐで一定である。なお、以下において、基板Ｗとパターン領域ＰＴとが当接し始める印刷開始位置での上記中心間の幅を開始幅、基板Ｗとパターン領域ＰＴとが離間する直前である印刷終了位置での上記中心間の幅を終了幅と称する。版胴１４の回転方向における先端側が印刷開始位置であり、後端側が印刷終了位置である。このようなパターン領域ＰＴ１を有する印刷版１７を用いて、ダミー印刷が行われる。
【００３８】
オペレータは、実際の印刷処理で用いられる基板Ｗと同程度のサイズを有する調整用基板ＣＷを印刷装置１０に載置する（ステップＳ２）。そして、実際の印刷処理時と同等の設定条件下でダミー印刷が行われる（ステップＳ３）。具体的には、調整用基板ＣＷを移動させつつ、塗布液が塗布液供給ローラ１２から供給されて、版胴１４に装着された印刷版１７に供給される。版胴１４の回転に伴って、印刷版１７が所定の印圧で押し当てられることによって、印刷版１７のパターン領域ＰＴ１が、下方を移動する調整用基板ＣＷの表面に転写される。このようにして、パターン領域ＰＴ１が、調整用基板ＣＷの表面に転写領域ＣＴ１として形成される。なお、ステップＳ１とステップＳ２とは逆になっても構わない。
【００３９】
図６には、転写領域ＣＴ１を構成する転写パターンＡＴが示されている。印刷版１７の直線状のパターンＳＴは、樹脂などの柔らかい素材で形成されているため、印圧がかかることによって、パターン領域ＰＴ１は幅方向に広がり、変形した状態で、調整用基板ＣＷに押し当てられる。このため、転写領域ＣＴ１は、パターン領域ＰＴ１よりも幅方向の外側に伸び出て、かつ印刷開始位置から印刷終了位置に向けて線形に広がった台形状（扇状）となる。従って、転写領域ＣＴ１における開始幅及び終了幅は、印刷版１７におけるパターン領域ＰＴ１よりも大きくなり、転写領域ＣＴ１とパターン領域ＰＴ１との形状は一致しない。
【００４０】
ダミー印刷が終了すると、オペレータは、転写領域ＣＴ１における開始幅及び終了幅の長さを測定する（ステップＳ４）。転写領域ＣＴ１における開始幅をｃ、終了幅をｄとする。転写領域ＣＴ１は台形状に広がっているため、転写領域ＣＴ１において、開始幅は終了幅よりも小さい（ｃ＜ｄ）。
【００４１】
オペレータは、測定された開始幅の長さｃ及び終了幅の長さｄを、所定のプログラム８０が記憶された制御部９０に、キーボード９５又はマウス９６などを用いて入力する。プログラム８０は、事前に印刷版１７の設計データを取得している（ステップＳ５）。そして、オペレータによって入力された転写領域ＣＴ１の開始幅の長さｃ及び終了幅の長さｄと、第１のパターン領域データの中心間の幅、つまり印刷版１７のパターン領域ＰＴ１における中心間の幅の長さａと、に基づいて、パターン領域ＰＴ１から転写領域ＣＴ１へと伸び広がった変形の割合を、印刷開始位置と印刷終了位置とにおいてプログラム８０が演算する（ステップＳ６）。具体的に、上述の場合は、開始幅の長さはａからｃに変化しているため、印刷開始位置における変形の割合Ｌsは、Ｌs＝（ｃ/ａ）で表される。また、終了幅の長さは、ａからｄに変化しているため、印刷終了位置における変形の割合Ｌeは、Ｌe＝（ｄ/ａ）で表される。このように、転写領域ＣＴ１の開始幅の長さｃ及び終了幅の長さｄが実際に測定されることによって、印圧によりパターン領域ＰＴ１がどの程度変形したのか、その変形の割合Ｌs，Ｌeが算出される。なお、ステップＳ５は、ステップＳ６が行われるまでであれば、どのタイミングで実行されても構わない。
【００４２】
続いて、算出された変形の割合Ｌs，Ｌeに基づいて、プログラム８０が印刷版１７の設計データを修正して、実際の印刷処理時に用いられるパターン領域ＰＴ２を有する修正印刷版１８の設計データを作成する（ステップＳ７）。図７は、修正印刷版１８が示されている。算出された変形の割合に基づいて、第２のパターン領域データの開始幅の長さｇは、
ｇ＝ａ×（１/Ｌs）＝ａ×（ａ/ｃ）
で表される。また、第２のパターン領域データの終了幅の長さｈは、
ｈ＝ａ×（１/Ｌe）＝ａ×（ａ/ｄ）
で表される。転写領域ＣＴ１における開始幅の長さｃと終了幅の長さｄとは、共に第１のパターン領域データにおける中心間の幅の長さであるａよりも大きいため、第２のパターン領域データは、第１のパターン領域データと比較して縮小されている。このとき、印刷開始位置（版胴の回転方向における先端側に存在して先に印刷転写される部分）における縮小率Ｒsは、Ｒs＝（（ａ−ｇ）/ａ）＝（１−（ａ/ｃ））で表され、印刷終了位置（版胴の回転方向における後端側に存在して後に印刷転写される部分）における縮小率Ｒeは、Ｒe＝（（ａ−ｈ）/ａ）＝（１−（ａ/ｄ））で表される。ｄはｃよりも大きいため、第２のパターン領域データにおける印刷開始位置の縮小率Ｒsは、印刷終了位置における縮小率Ｒeよりも小さい。つまり、第２のパターン領域データは、印刷版１７が転写された転写領域ＣＴ１とは逆向きの台形状である。
【００４３】
そして、印刷領域内の任意の位置の印刷方向の座標値をＹとしたとき、各位置Ｙにおける縮小率Ｒ(Y)は、当該位置と印刷開始位置との第１間隔と、当該位置と印刷終了位置との第２間隔との比に応じて比例的に大きくなっており、
Ｒ(Y)＝［Ｒe×（Ｙ−Ｙs）＋Ｒs×（Ｙe−Ｙ）］／（Ｙe−Ｙs）
の補間演算により算出される。ただし、印刷領域（第２パターン領域データ）における印刷開始位置の座標値をＹs、印刷終了位置での座標値をＹeとし、Ｙe＞Ｙ＞Ｙsという大小関係で座標が定義される。
【００４４】
このように、印刷版１７が有するパターン領域ＰＴ１が矩形である場合、印刷版１７が転写された調整用基板ＣＷ上の転写領域ＣＴ１における開始幅の長さｃ及び終了幅の長さｄと、第２のパターン領域データにおける開始幅の長さｇ及び終了幅の長さｈと、の関係は、
ｈ＝ｇ×（ｃ/ｄ）
で表すことが可能である。転写領域ＣＴ１における開始幅及び終了幅と、第２のパターン領域データにおける開始幅及び終了幅とが特定の関係性を有しているため、当該関係性に基づいて、第１のパターン領域データに関係なく、いずれかの値を容易に算出することができる。
【００４５】
また、パターン領域ＰＴ１の印刷開始位置における変形の割合Ｌｓが（ｃ/ａ）であり、印刷終了位置における変形の割合Ｌｅが（ｄ/ａ）であるため、第２のパターン領域データの印刷開始位置のパターン間隔をｌとすると、
ｌ＝ｐ×（１/Ｌｓ）＝ｐ×（ａ/ｃ）
で表すことが可能である。また、第２のパターン領域データの印刷終了位置におけるパターン間隔をｍとすると、
ｍ＝ｐ×（１/Ｌｅ）＝ｐ×（ａ/ｄ）
で表すことが可能である。従って、印刷開始位置におけるパターン間隔ｌよりも印刷終了位置におけるパターン間隔ｍのほうが小さくなる。印刷領域内の任意の位置についても、既述した比例演算（補間演算）と同様の式によって算出することができる。
【００４６】
このような変形の割合に基づいて印刷開始位置から印刷終了位置に至る各位置について作成された修正データにより作製された修正印刷版１８が、実際の有機ＥＬ基板の印刷処理時において使用される。修正印刷版１８が備えるパターン領域ＰＴ２は、第２のパターン領域データの形状に一致し、パターン領域ＰＴ２は、第１のパターン領域データよりも縮小されている。即ち、この修正印刷版１８上のパターンは、図６の扇状変形を補正すべく、図６の扇状パターンとは逆方向に開いて全体的に縮小された扇状パターンとなる。
【００４７】
オペレータは、版胴１４の回転方向を印刷開始位置が向くようにして、修正印刷版１８を版胴１４に取り付けてから、上述の印刷処理を行う（ステップＳ８）。修正印刷版１８は、ダミー印刷の際と同じ印圧を受けながら、基板Ｗ上に当接して、修正印刷版１８のパターン領域ＰＴ２に付着した塗布液を基板Ｗ上に転写する。
【００４８】
印圧はダミー印刷時と変わらないため、修正印刷版１８のパターン領域ＰＴ２の開始幅及び終了幅の長さが、印圧によって変化する割合は、ダミー印刷によって算出された割合と同一である。即ち、修正印刷版１８のパターン領域ＰＴ２は、印圧をうけることによって、開始幅の長さは（ｃ/ａ）倍に、終了幅の長さは、（ｄ/ａ）倍に伸び広がった状態で基板Ｗ上に当接する。このため、基板Ｗ上に形成された転写領域ＣＴ２の開始幅の長さはａとなり、終了幅の長さもａとなる。そして、印刷版１７の転写領域ＣＴ１は開始幅から終了幅に向かって線形に広がって変形していたため、開始幅から終了幅に向かって線形に縮小された修正印刷版１８の転写領域ＣＴ２は、中心間の幅がいずれの位置においてもａの一様な矩形となる。また、パターン間隔についても上述の割合で線形に広がるため、転写領域ＣＴ２のパターン間隔は、いずれの位置においても一定のｐとなる。
【００４９】
このような転写領域ＣＴ２の形状、つまり中心間の幅がａでパターン間隔がｐであるという形状は、ダミー印刷時に使用された印刷版１７のパターン領域ＰＴ１の形状、つまり第１のパターン領域データの形状と一致している。即ち、転写領域ＣＴ２は基板Ｗ上に第１のパターン領域データの形状で形成されており、パターン領域ＰＴ１よりも伸び広がった台形状に形成されることはない。
【００５０】
次処理予定の基板Ｗ１が存在する場合は、基板Ｗ１が印刷装置１０に搬入されて、順次印刷処理が行われる。パターン領域ＰＴ１が変化した場合、又は印圧が変化した場合を除いて、算出された変形の割合は一定であるため、修正印刷版１８を用いて印刷処理が行われ続ける。
【００５１】
以上のように、本実施の形態では、中心間の幅が一定のパターン領域ＰＴ１を有する印刷版１７でダミー印刷を行い、パターン領域ＰＴ１が転写された転写領域ＣＴ１における開始幅と終了幅との長さを測定することによって、パターン領域ＰＴ１が印圧によって、どの程度伸び広がったか、その変形の割合を求めることができる。変形の割合が算出できれば、印圧により変形した後のパターン領域ＰＴ１の形状が、第１のパターン領域データの形状になるように、第１のパターン領域データが変形の割合に基づいて修正される。この結果、第２のパターン領域データが作成される。このような第２のパターン領域データに基づいて作製された修正印刷版１８で実際の印刷処理が行われることにより、印圧による変形後のパターン領域ＰＴ２、即ち転写領域ＣＴ２の形状は、第１のパターン領域データの形状となる。つまり、修正印刷版１８の形状は印圧により線形に変形するため、少なくとも開始幅と終了幅との変形の割合が求められ、当該変形の割合の分だけパターン領域ＰＴ２が縮小されていれば、変形後のパターン領域ＰＴ２の形状は、印刷版１７のパターン領域ＰＴ１、つまり第１のパターン領域データの形状に一致させることができる。即ち、転写領域ＣＴ２がパターン領域ＰＴ１よりも伸び広がった台形状に形成されることを防止できる。従って、隣り合う印刷領域で混色が発生することを防止できる。
【００５２】
＜２．変形例＞
なお、本発明は、上記実施形態に限られるものではない。上記実施形態では、開始幅の及び終了幅の長さをパラメータとして変形の割合を算出していたが、このような形態には限られない。例えば、パターン間隔をパラメータとして変形の割合が算出されても構わない。
【００５３】
また、上記実施の形態では、ダミー印刷に用いられる印刷版１７のパターン領域ＰＴは中心間の幅がいずれの位置においても一定であり、パターン領域ＰＴ全体では矩形であったが、このような形態には限られない。パターン領域ＰＴ全体の形状が矩形ではなく楕円形や円形であっても本願発明は適用可能である。印刷版の材質と印圧とが同じであれば、ひとつの版のダミー印刷で得た補正データ（先端と後端とのそれぞれにおける変形の割合）を他の印刷パターンデータの修正に使用することも可能である。
【符号の説明】
【００５４】
１０  印刷装置
１１  スリットノズル
１２  塗布液供給ローラ
１４  版胴
１５  モータ
１７  印刷版
１８  修正印刷版
２０  基台
２２  ステージ
２４  支持側板
２５  ガイド部材
２６  昇降モータ
８０  プログラム
９０  制御部
ＡＴ  転写パターン
ＳＴ  パターン
ＣＴ１，ＣＴ２  転写領域
ＰＴ１，ＰＴ２  パターン領域
Ｗ  基板
【図１】
2012074281.tif 000003
【図２】
2012074281.tif 000004
【図３】
2012074281.tif 000005
【図４】
2012074281.tif 000006
【図５】
2012074281.tif 000007
【図６】
2012074281.tif 000008
【図７】
2012074281.tif 000009